(57)【要約】      （修正有）【課題】バーナを用いた従来のスクリードプレート加熱装置においては、主スクリードプレートでは機械中心部分および両端部、伸縮スクリードプレートでは伸縮側端部のプレート下面が十分に加熱されない。【解決手段】スクリードプレート３０Ｂの中央部および端部は、熱風が送り込まれて加熱された加熱ダクト５３の熱が、宛がわれた伝熱板５４を介して伝わることにより、直接加熱される。この結果、排熱だけでは十分に加熱されないスクリードプレート３０Ｂの中央部に伝熱板５４の他端部を宛がうことにより、熱が直接伝わって十分に加熱される。この結果、スクリードプレート３０Ｂ全体を均一に加熱して加熱むらの発生を抑制することができるようになる。【選択図】図３
2010281035.tif 000002
【特許請求の範囲】
【請求項１】
空気を熱するバーナーと、このバーナーにより熱せられた空気を熱風として送り出すブロアーと、このブロアーにより空洞状をした内部に送り込まれた前記熱風を複数の開口穴から外部のスクリードプレートへ吹き付けてスクリードプレートを加熱するダクトとを備えて構成されるスクリードプレート加熱装置において、
一端部が前記ダクトに取り付けられ、他端部が前記スクリードプレートの所望の部位に宛がわれる伝熱板を備えたことを特徴とするスクリードプレート加熱装置。
【請求項２】
前記伝熱板は、前記他端部が、所定の舗装幅で加熱混合物を敷き均す主スクリードプレートの端部もしくは中央部、または、伸縮することで舗装幅を変更して加熱混合物を敷き均す伸縮スクリードプレートの端部に宛がわれていることを特徴とする請求項１に記載のスクリードプレート加熱装置。
【発明の詳細な説明】
【技術分野】
【０００１】
本発明は、ブロアーにより送り込まれた熱風をダクトの開口穴からスクリードプレートへ吹き付けてスクリードプレートを加熱するスクリードプレート加熱装置に関するものである。
【背景技術】
【０００２】
スクリードプレートは、アスファルトフィニッシャなどにおける、加熱混合物などを敷き均して道路舗装面を平滑に仕上げるスクリード装置の１構成部品である。このスクリード装置においては、舗装面を平滑にアイロン仕上げすると共に、アスファルト加熱混合物などがスクリードプレートに付着するのを防ぐため、スクリードプレート加熱装置によってスクリードプレートを加熱する必要がある。
【０００３】
従来、この種のスクリードプレート加熱装置としては、例えば、プロパンガスなどのＬＰＧや軽油を燃料とするバーナ（燃焼器）を用いたものがある。図１は、バーナを用いた従来の加熱装置が設けられたスクリードプレートを示す斜視図であり、同図（ａ）は機械中心Ｃから右半分の主スクリードプレート１、同図（ｂ）は主スクリードプレート１の左後方に配置されて舗装幅を変更する、機械中心Ｃの左方にある伸縮スクリードプレート２の斜視図である。
【０００４】
同図（ａ）に示すように、主スクリードプレート１はフレーム３に支持されており、このフレーム３間にはダクト４が設けられている。このダクト４の上面左端部にはバーナ５が設けられている。バーナ５での燃焼により生じた熱気は、バーナ５上部に設けられたファン（送風機）６によってダクト４内部に導かれ、主スクリードプレート１を加熱した後、排気口４ａから外部へ排出される。
【０００５】
同図（ｂ）に示すように、伸縮スクリードプレート２もフレーム７間にダクト８が設けられて構成されている。バーナ９での燃焼により生じた熱気は、バーナ９上部に設けられたファン１０によってダクト８内部に導かれ、伸縮スクリードプレート２を加熱した後、ダクト８の左側部から外部へ排出される。伸縮スクリードプレート２の左端部には、舗装幅を調整するための拡張スクリードプレート１１が、軸１２を中心にして矢印に示す方向に回動自在に設けられている。
【０００６】
また、上記のようなバーナ５，９を用いないスクリードプレート加熱装置として、下記の特許文献１には、スクリードプレートの全面に高周波誘導コイルを配設し、この高周波誘導コイルに高周波電流を流してスクリードプレートの誘導加熱を行う加熱装置が開示されている。
【先行技術文献】
【特許文献】
【０００７】
【特許文献１】特開平１０−２５２０１２号公報（段落[０００９]〜[００１２]参照）
【発明の概要】
【発明が解決しようとする課題】
【０００８】
しかしながら、バーナ５，９を用いた上記従来のスクリードプレート加熱装置では、ダクト４が、半分の主スクリードプレート１の両端部，ダクト８が、伸縮スクリードプレート２の伸縮側端部には設けられておらず、これらの各端部はダクト４，８の排気口から排出される排熱によって加熱される構造である。このため、この構造上、主スクリードプレート１では機械中心部分および両端部のプレート下面が十分に加熱されず、伸縮スクリードプレート２では伸縮側の端部のプレート下面が十分に加熱されない。このため、これらスクリードプレート１，２の各部分に加熱むらが生じてしまう。この結果、スクリードプレート１，２の各部分下方におけるアスファルト合材等に十分な熱が伝わらず、アスファルト合材等に流動性を十分に持たせられないために、舗装面の仕上がり状態が悪くなることが考えられる。また、これらの部分を加熱するために、ダクト４，８の形状を各スクリードプレート１，２に合わせて大きくしたり複雑な形状に設計変更したりすることは、各スクリードプレート１，２のフレーム３，７の構造上の規制もあり、困難である。また、このような加熱むらが生じないようにバーナ５，９の火力を強くし、ダクト４，８が必要以上に加熱され過ぎてしまうと、この過加熱により、スクリードプレート１，２の局部的な歪みが生じたり、ダクト４，８の周囲の電気配線や油圧シリンダ、油圧機器配管などの部品が破損してしまうおそれがある。
【０００９】
また、上記の特許文献１に記載の従来のスクリードプレート加熱装置は、誘導コイルによってスクリードプレート全面を加熱する構造である。このため、多くの消費電力を必要とし、スクリードプレート加熱装置に電源供給を行う発電機が大型化して、この発電機を駆動するエンジンも必然的に大型化してしまう。
【課題を解決するための手段】
【００１０】
本発明はこのような課題を解決するためになされたもので、空気を熱するバーナーと、このバーナーにより熱せられた空気を熱風として送り出すブロアーと、このブロアーにより空洞状をした内部に送り込まれた熱風を複数の開口穴から外部のスクリードプレートへ吹き付けてスクリードプレートを加熱するダクトとを備えて構成されるスクリードプレート加熱装置において、一端部がダクトに取り付けられ、他端部がスクリードプレートの所望の部位に宛がわれる伝熱板を備えたことを特徴とする。
【００１１】
この構成によれば、スクリードプレートは、ダクトの複数の開口穴から吹き付けられる熱風によって加熱されると共に、その所望の部位は、熱風が送り込まれて加熱されたダクトの熱が、宛がわれた伝熱板を介して伝わることにより、直接加熱される。この結果、ダクトをスクリードプレートの形状に合わせて、大きくしたり複雑な形状に変形することなく、排熱だけでは十分に加熱されない部分に伝熱板の他端部を宛がうことにより、熱が直接伝わって十分に加熱することができるようになり、スクリードプレート全体を均一に加熱して加熱むらの発生を抑制することができるようになる。このため、スクリードプレートの全部分の下方における加熱混合物に十分な熱が伝わるようになり、スクリードプレートの全部分の下方における加熱混合物の流動性が向上して、舗装面が平滑に仕上がるようになる。また、排熱だけでは十分に加熱されない部分を、バーナーの燃焼量を変化させずに加熱することができるため、過加熱によるスクリードプレートの局部的な歪みや周囲の部品の破損を防止することができるようになると共に、燃料の消費量を減少させることができる。さらに、バーナーで加熱された直後の空気が送り込まれて高温になるダクトから熱を逃がすことができるので、熱によるダクトの破損が防止でき、ダクトの耐久性が向上する。
【００１２】
また、誘導コイルといった電気エネルギーを熱エネルギーに変換する加熱手段を用いてスクリードプレート全体を加熱する従来の加熱装置と比べて、電力消費量を減少させることができる。このため、従来の加熱装置のように大容量の大型発電機を用いる必要がなく、伝熱板を装備するだけでスクリードプレートをむらなく加熱することができ、エンジンの大型化を伴うこともない。
【００１３】
また、本発明は、伝熱板の他端部が、所定の舗装幅で加熱混合物を敷き均す主スクリードプレートの端部もしくは中央部、または、伸縮することで舗装幅を変更して加熱混合物を敷き均す伸縮スクリードプレートの端部に宛がわれていることを特徴とする。
【００１４】
この構成によれば、伝熱板の一端部から他端部へ伝わるダクトの熱は、主スクリードプレートの端部もしくは中央部、または伸縮スクリードプレートの端部に直接伝わり、これら各部は十分に加熱されるようになる。この結果、主スクリードプレートや伸縮スクリードプレート全体を均一に加熱して加熱むらの発生を抑制することができるようになり、主スクリードプレートの端部もしくは中央部、または伸縮スクリードプレートの端部における舗装面の仕上がり状態が良くなる。
【発明の効果】
【００１５】
本発明によれば、上記のように、排熱だけでは十分に加熱されない部分に伝熱板の他端部を宛がうことにより、熱が直接伝わって十分に加熱することができるようになり、スクリードプレート全体を均一に加熱して加熱むらの発生を抑制することができるようになる。
【図面の簡単な説明】
【００１６】
【図１】従来のスクリードプレート加熱装置を備えたスクリードプレートの斜視図であり、（ａ）は主スクリードプレート、（ｂ）は伸縮スクリードプレートの斜視図である。
【図２】本発明の一実施形態によるスクリードプレート加熱装置を備えたアスファルトフィニッシャを示しており、（ａ）はその一部破断左側面図、（ｂ）はそのスクリード装置を示す平面図である。
【図３】本発明の一実施形態によるスクリードプレート加熱装置を備えたスクリード装置の右前側にあるスクリードプレートの機械中心側の一部分を示す図であり、（ａ）は一部背面図、（ｂ）は一部平面図、（ｃ）は一部側面図である。
【図４】図３に示す右側スクリードプレートに左側スクリードプレートを連結した際の各スクリードプレート加熱装置の一部背面図である。
【発明を実施するための形態】
【００１７】
次に、本発明の一実施の形態によるスクリードプレート加熱装置について説明する。
【００１８】
図２は、この一実施の形態によるスクリードプレート加熱装置を備えたアスファルトフィニッシャ２０の構成の概略を示しており、同図（ａ）はその一部破断左側面図、同図（ｂ）はそのスクリード装置２４を示す平面図である。
【００１９】
同図（ａ）に示すように、アスファルトフィニッシャ２０は、アスファルト加熱混合物ｋが積み込まれるホッパ２１が車体の前部に設けられている。ホッパ２１の後方の車体下部には、ホッパ２１に積み込まれた混合物ｋを搬送するコンベヤ２２が設けられており、コンベヤ２２のさらに後方の車体下部にはスクリュスプレッダ２３が設けられている。スクリュスプレッダ２３は、スクリュ軸の外周にスクリュ羽根が形成されており、スクリュ軸が定速回転するのに伴いスクリュ羽根が旋回し、コンベヤ２２から供給されて路盤上に落下した混合物ｋを路盤の幅方向に撒き拡げる。車体の後方には、撒き拡げられた混合物ｋを敷き均して舗装面を平滑に仕上げるスクリード装置２４が設けられている。アスファルトフィニッシャ２０は、一対の後方駆動輪２５ａ，２５ｂおよび一対の前方駆動輪２６ａ，２６ｂによって進行方向である同図左方に走行し、スクリード装置２４を牽引する。また、車体上部の運転席には操作部２７が設けられており、操作部２７には、スクリード装置２４を伸縮して舗装幅を変更するための操作レバーや操作スイッチなどが設けられている。
【００２０】
スクリード装置２４は、同図（ｂ）に示すように、所定の舗装幅でアスファルト加熱混合物ｋを敷き均す、一対のスクリードプレート３０Ａ，３０Ｂからなる主スクリードプレート３０と、左右で一対の伸縮スクリードプレート４０Ａ，４０Ｂとを備えて構成されている。伸縮スクリードプレート４０Ａ，４０Ｂは、主スクリードプレート３０の後方で主スクリードプレート３０の幅方向にスライドして伸縮することで、アスファルト加熱混合物ｋを敷き均す舗装幅を変更する。
【００２１】
図３は、本実施形態によるスクリードプレート加熱装置を備えたスクリード装置２４の右前側にあるスクリードプレート３０Ｂの機械中心側の一部分を示す図であり、（ａ）は一部背面図、（ｂ）は一部平面図、（ｃ）は一部側面図である。
【００２２】
スクリードプレート加熱装置５０は、バーナー５１、ブロアー５２、加熱ダクト５３、および伝熱板５４から構成されている。
【００２３】
スクリードプレート３０Ｂは、一端部がフレーム５５、他端部が図示しないフレームに支持されており、これらフレーム５５の間には、スクリードプレート３０Ｂを加熱する加熱ダクト５３および加熱ダクト５３を覆うダクトカバー５６が設けられている。バーナー５１の先端部は、ダクトカバー５６を介して空洞状の構造を有する加熱ダクト５３の内部に差し込まれている。また、バーナー５１とダクトカバー５６との間の隙間は、プレート５７によって塞がれている。
【００２４】
ブロアー５２は、平板状をしたベース部５８の上部に２個備えられており、中空箱形状をした送風ダクト５９ａ，５９ｂを介して、断面が台形の中空箱形状をした混合室６０に空気を送り出す。混合室６０では、ブロアー５２から供給される空気と、パイプ６１，チューブ６２およびエルボー６３を介して供給されるＬＰＧ燃料とが混合される。ＬＰＧ燃料を含んだ混合気は、ブロアー５２からの送風によって混合室６０から加熱ダクト５３へ送り出される。バーナー５１は、プラグ６４によって着火され、混合室６０から加熱ダクト５３に送り出された混合気を燃焼し、熱気を生成する。バーナー５１の燃焼状態は、ダクトカバー５６に２本のボルト６５，６５で固定された覗き窓６６から覗くことによって確認される。加熱ダクト５３の内部でバーナー５１により生成された熱気が、ブロアー５２からの送風によって熱風として、加熱ダクト５３下面に複数設けられた開口穴５３ａからスクリードプレート３０Ｂの上面に吹き付けられることにより、スクリードプレート３０Ｂは加熱される。伝熱板５４は、一端部が、複数のボルト６７，６７，６７により、バーナー５１によって生成された熱気によって高温になる加熱ダクト５３の側面に取り付けられている。伝熱板５４の他端部は、スクリードプレート３０Ｂの所望の部位、本実施形態では、フレーム５５の下端部に設けられた切り欠き部５５ａを介して、スクリードプレート３０Ｂの熱風が吹きつけられない、フレーム５５の外側の機械中心側中央部に、宛がわれている。図示しないが、スクリードプレート３０Ｂの反対側の端部にも、フレーム５５と対になるフレームの下端部に設けられた切り欠き部を介して、一端部が加熱ダクト５３の反対側側面に取り付けられている伝熱板の他端部が、宛がわれている。
【００２５】
また、図示しないが、スクリードプレート３０Ａや伸縮スクリードプレート４０Ａ，４０Ｂに設置されているスクリードプレート加熱装置も、上述したスクリードプレート加熱装置５０と同様に、バーナー、ブロアー、ダクト、および伝熱板から構成されており、一端部が加熱ダクトの側面に取り付けられている伝熱板の他端部が、スクリードプレート３０Ａの熱風が吹きつけられない中央部および端部、並びに伸縮スクリードプレート４０Ａ，４０Ｂの伸縮側端部に、宛がわれている。
【００２６】
図４は、左側スクリードプレート３０Ａと右側スクリードプレート３０Ｂとを連結した際の、各スクリードプレート加熱装置５０の一部背面図である。なお、同図において図３と同一の部分には同一の符号を付してその説明は省略する。
【００２７】
左側スクリードプレート３０Ａと右側スクリードプレート３０Ｂとには、機械中心線Ｃを中心に左右対称にスクリードプレート加熱装置５０がそれぞれ備えられ、連結部７０によって連結されている。
【００２８】
連結部７０は、スクリードプレート３０Ａ，３０Ｂの機械中心線Ｃ側の各フレーム５５，５５の側面にそれぞれ設けられた左右のブラケット６８，６８同士が噛み合わされ、各ブラケット６８，６８に備えられた孔６９（図３（ａ）参照）にピン７１が挿入されることにより、左側スクリードプレート３０Ａと右側スクリードプレート３０Ｂを連結する。ピン７１は、一端がボルト７２でブラケット６８に固定された板７３により、外れるのが防止されている。
【００２９】
次に、上述した構成を持つ本実施形態によるスクリードプレート加熱装置５０の動作について説明する。
【００３０】
バーナー５１により生成された熱気は、ブロアー５２によって熱風となって加熱ダクト５３の下面に設けられた複数の開口穴５３ａから噴出し、スクリードプレート３０Ａ，３０Ｂの上面に吹き付けられる。このように、熱風が吹き付けられたスクリードプレート３０Ａ，３０Ｂは、熱風が持つ熱によって加熱される。また、各スクリードプレート３０Ａ，３０Ｂの中央部は、加熱ダクト５３内の熱気によって高温となった加熱ダクト５３の熱が、宛がわれた伝熱板５４を介して伝えられ、直接加熱される。また、図示しない、スクリードプレート３０Ａ，３０Ｂの反対側端部、および伸縮スクリードプレート４０Ａ，４０Ｂの伸縮側端部も、ダクト５３の熱が、宛がわれた伝熱板を介して伝えられ、直接加熱される。
【００３１】
このため、本実施形態によるスクリードプレート加熱装置５０によれば、上記のように、主スクリードプレート３０および伸縮スクリードプレート４０Ａ，４０Ｂは、ダクトの複数の開口穴５３ａから吹き付けられる熱風によって加熱されると共に、その所望の部位、本実施形態では、主スクリードプレート３０の端部および中央部、並びに伸縮スクリードプレート４０Ａ，４０Ｂの端部は、熱風が送り込まれて加熱された加熱ダクト５３の熱が、宛がわれた伝熱板５４を介して伝わることにより、直接加熱される。この結果、加熱ダクト５３を主スクリードプレート３０および伸縮スクリードプレート４０Ａ，４０Ｂの形状に合わせて、大きくしたり複雑な形状に変形することなく、排熱だけでは十分に加熱されない主スクリードプレート３０の端部および中央部、並びに伸縮スクリードプレート４０Ａ，４０Ｂの端部に伝熱板５４の他端部を宛がうことにより、加熱ダクト５３の熱が直接各部に伝わって十分に加熱することができるようになり、主スクリードプレート３０および伸縮スクリードプレート４０Ａ，４０Ｂ全体を均一に加熱して、加熱むらの発生を抑制することができるようになる。このため、主スクリードプレート３０および伸縮スクリードプレート４０Ａ，４０Ｂの全部分の下方における加熱混合物に十分な熱が伝わるようになり、主スクリードプレート３０および伸縮スクリードプレート４０Ａ，４０Ｂの全部分の下方における加熱混合物の流動性が向上して、舗装面が平滑に仕上がるようになる。また、排熱だけでは十分に加熱されない部分を、バーナーの燃焼量を変化させずに加熱することができるため、過加熱による主スクリードプレート３０および伸縮スクリードプレート４０Ａ，４０Ｂの局部的な歪みや周囲の部品の破損を防止することができるようになると共に、燃料の消費量を減少させることができる。さらに、バーナー５１で加熱された直後の空気が送り込まれて高温になる加熱ダクト５３から熱を逃がすことができるので、熱による加熱ダクト５３の破損が防止でき、加熱ダクト５３の耐久性が向上する。
【００３２】
また、誘導コイルといった電気エネルギーを熱エネルギーに変換する加熱手段を用いてスクリードプレート全体を加熱する従来の加熱装置と比べて、電力消費量を減少させることができる。このため、従来の加熱装置のように大容量の大型発電機を用いる必要がなく、伝熱板５４を装備するだけで主スクリードプレート３０および伸縮スクリードプレート４０Ａ，４０Ｂをむらなく加熱することができ、エンジンの大型化を伴うこともない。
【００３３】
また、本実施形態によれば、伝熱板５４の一端部から他端部へ伝わる加熱ダクト５３の熱は、主スクリードプレート３０の端部および中央部、並びに伸縮スクリードプレート４０Ａ，４０Ｂの端部に直接伝わり、これら各部は十分に加熱されるようになる。この結果、主スクリードプレート３０や伸縮スクリードプレート４０Ａ，４０Ｂ全体を均一に加熱して加熱むらの発生を抑制することができるようになり、主スクリードプレート３０の端部および中央部、並びに伸縮スクリードプレート４０Ａ，４０Ｂの端部における舗装面の仕上がり状態が良くなる。
【００３４】
なお、本実施形態では、主スクリードプレート３０の端部および中央部、並びに伸縮スクリードプレート４０Ａ，４０Ｂの端部の全てに、伝熱板５４の他端部を宛がう構成について説明したが、本発明はこれに限られることはない。例えば、主スクリードプレート３０の端部もしくは中央部、または伸縮スクリードプレート４０Ａ，４０Ｂの端部のいずれかに、伝熱板５４の他端部を宛がう構成にしてもよい。この構成においても上記の実施形態と同様の作用・効果が得られる。
【産業上の利用可能性】
【００３５】
上記の実施形態においては、本発明によるスクリードプレート加熱装置をアスファルトフィニッシャ２０におけるスクリード装置２４に適用した場合を説明したが、本発明はこれに限られるものではない。例えば、リミキサやリペーバといった路上表層再生機などのスクリード装置に本発明を適用することも可能である。
【符号の説明】
【００３６】
２０…アスファルトフィニッシャ
２４…スクリード装置
３０…主スクリードプレート
３０Ａ，３０Ｂ…スクリードプレート
４０Ａ，４０Ｂ…伸縮スクリードプレート
５０…スクリードプレート加熱装置
５１…バーナー
５２…ブロアー
５３…加熱ダクト
５３ａ…開口穴
５４…伝熱板
５５…フレーム
５６…ダクトカバー
【図１】
2010281035.tif 000003
【図２】
2010281035.tif 000004
【図３】
2010281035.tif 000005
【図４】
2010281035.tif 000006